(57)【特許請求の範囲】
【請求項１】
カメラ本体に固着される固定筒と、回転ズーム操作環を有するズームレンズにおいて、
上記回転ズーム操作環と実質上一体の第１ズーム作動環と、
上記回転ズーム操作環と一体であって、ズーム作動をその位置に保持する保持位置とズーム作動状態である動作位置との間で変位可能なズーム保持環と、
上記回転ズーム操作環と回転方向は一体的であるが光軸方向において変移可能な第２ズーム作動環と、
上記固定筒と実質上一体であって、上記保持位置にある上記ズーム保持環と係合してズーム保持環の移動を阻止し、上記作動位置にある上記ズーム保持環と係合しない保持部と、
上記ズーム保持環を上記第２ズーム作動環に対し、光軸方向において異なった位置である上記保持位置と上記作動位置において、指の作動力によって保持状態を解除できる程度の保持力で保持する変換保持手段と
を有することを特徴とするズームレンズの自重作動防止機構。
【請求項２】
上記ズーム保持環と上記保持部とのいずれか一方に緩衝材を配置したことを特徴とする請求項１に記載のズームレンズの自重作動防止機構。
【請求項３】
上記変換保持手段が、ボールと板バネを含むクリック機構であることを特徴とする請求項１に記載のズームレンズの自重作動防止機構。
【請求項４】
上記変換保持手段が、板バネを含むクリック機構であることを特徴とする請求項１に記載のズームレンズの自重作動防止機構。
【発明の詳細な説明】
【０００１】
【発明の属する技術分野】
本発明は、ズームレンズの自重作動防止機構、すなわちズームレンズを傾斜させて設定したときに、ズームレンズの構成部材に作用する重力によってズーム作動が行われることを防止することができるズームレンズの自重作動防止機構に関する。
【０００２】
【従来の技術】
ズームレンズを装着したカメラを撮影のために斜め上向きや斜め下向きに設定した場合や、ズームレンズを垂直下方を向けて持ち運ぶ場合等に、ズームレンズのズーム操作環に何ら作動力を加えていないにもかかわらずズームレンズの構成部材に作用する重力によってズーム作動が行われることがある。この誤作動は、焦点距離が変動して次回の迅速な撮影を行うことを妨げたり、ズームレンズの全長が長くなって先端部がものに衝突したり水に漬かったりする問題がある。
ズームレンズのこのような問題を解決するために、摺動嵌合の間隙を小さくして摩擦抵抗を大きくすることや、摺動部分に粘性の高いグリースを使用すること等が行われている。
【０００３】
しかしながら、このような対策によってもズームレンズの自重作動の防止が完全でなく、機構的に自重作動防止を行うことが行われている。すなわち、図５及び図６に示すように、直進式ズームレンズ１００において、ズーム操作環１０２のマウント側の端部に保持操作リング１０４を螺合する。保持操作リング１０４には、ズーム操作環１０２に円周方向に延びて形成された溝１０６に係合する回転範囲制限部材１０８が設けられている。ズーム操作環１０２のマウント側（図面右側）の端部には、中心凹みの円錐面１１２が形成されている。保持操作リング１０４のマウントと反対側を向いた面には、中心凹みの円錐面１２０が形成されている。円錐面１１２及び１２０によって形成される円周方向に延びた空間には、光軸と直交する平面における断面がＣ形で、固定筒１２６の方向を向いた摩擦リング１３０が配置され、その内側面にフエルトが貼り付けられている。摩擦リング１２６は、それ自身の付勢力によって円錐面１１２及び１２０に当接している。
【０００４】
上述した構成の直進式ズームレンズ１００において、自重作動を防止するためには、図６に示すように、保持操作リング１０４をズーム操作環１０２との螺合量を大きくする方向に回転させて、円錐面１１２及び１２０を互いに近づけさせ、これらが作る空間から摩擦リング１２６を押し出して固定筒１２６の外面に押しつけ、ズーム操作環１０２を固定筒１２６に固着する。
【０００５】
【発明が解決しようとする課題】
図５及び図６に示した従来の自重作動防止機構においては、ズーム操作環１０２と保持操作リング１０４とが別体のために、ズーム操作から自重作動防止状態にするために、ズーム操作の左手をズーム操作環１０２から保持操作リング１０４に持ち替えなければならない問題がある。また、ズーム操作環１０２を固定筒１２６に固着して保持する保持力は、保持操作リング１０４をズーム操作環１０２に螺合させる量によって変化するため、上記保持力は可変であり、保持を最適に行う保持力、すなわち保持のために固着しかつ固着を解いて次のズーム操作を容易に行うことができる保持力を迅速に得ることが困難である問題がある。
【０００６】
【発明の目的】
本発明は、従来のズームレンズの自重作動防止機構に関する上述した問題点に鑑みなされたものであって、簡易な構造で部品点数も少なく、ズーム操作をしたその状態のまま自重作動防止のための操作や解除を行うことができて操作性がよく、さらに自重作動防止のための最適の保持力を確実に得ることができるズームレンズの自重作動防止機構を提供することを目的とする。
【０００７】
【発明を解決するための手段】
本発明は、
カメラ本体に固着される固定筒と、回転ズーム操作環を有するズームレンズにおいて、
上記回転ズーム操作環と実質上一体の第１ズーム作動環と、
上記回転ズーム操作環と一体であって、ズーム作動をその位置に保持する保持位置とズーム作動状態である動作位置との間で変位可能なズーム保持環と、
上記回転ズーム操作環と回転方向は一体的であるが光軸方向において変移可能な第２ズーム作動環と、
上記固定筒と実質上一体であって、上記保持位置にある上記ズーム保持環と係合してズーム保持環の移動を阻止し、上記作動位置にある上記ズーム保持環と係合しない保持部と、
上記ズーム保持環を上記第２ズーム作動環に対し、光軸方向において異なった位置である上記保持位置と上記作動位置において、指の作動力によって保持状態を解除できる程度の保持力で保持する変換保持手段と
を有することを特徴とするズームレンズの自重作動防止機構である。
【０００８】
本発明の実施態様は、以下の通りである。上記ズーム保持環と上記保持部とのいずれか一方に緩衝材を配置したことを特徴とする。上記変換保持手段が、ボールと板バネを含むクリック機構であることを特徴とする。上記変換保持手段が、板バネを含むクリック機構であることを特徴とする。
【０００９】
【発明の好ましい実施の態様】
以下、図面に沿って本発明の好ましい実施の態様を詳細に説明する。実施例のズームレンズ１は、図３に示すように、２８〜１０５ｍｍ、Ｆ：２．８の回動式のズームレンズであって、光学系は、第１レンズ群４、第２レンズ群６、第３レンズ群８、及び第４レンズ群１０からなる。
ズームレンズ１は、図１、図２及び図３に示すように、カメラボデイに装着されるマウント２２と一体の固定筒２６と、固定筒２６の外側に配置されたズーム操作部３０と、ズーム操作部３０に係合してズームをその位置に保持する保持部３２とを有する。
【００１０】
ズーム操作部３０は、図１、図２及び図４に示すように、撮影者が指で操作するズーム操作環３８と、ズーム操作環３８と一体の第１ズーム作動環３６と、同じくズーム操作環３８と一体のズーム保持環４０と、ズーム調整のために上記光学系を移動させるための第２ズーム作動環３７とを有する。ズーム保持環４０は、そのマウント２２側の端部が、ズーム保持部３２と摩擦接触可能な位置と接触しない位置との間で変移可能である。第２ズーム作動環３７には、光軸方向に延びた案内レール５０が形成され、これにズーム保持環４０に形成された直線溝５２が係合している。従って、ズーム操作環３８と第２ズーム作動環３７とは、回転方向には互いに一体的に回転するが、光軸方向には相対的に自由に変移できる。
ズーム保持環４０は、その内側に、互いに隣接しそれらの間になだらかな突出部４４を介在させる一対の前クリック溝６６及び後クリック溝６８を有し、第２ズーム作動環３７において固定ねじ６０によって取り付けられた板ばね６２によって外向きに付勢された複数のボール６４が前クリック溝６６または後クリック６８に係合する。保持部３２の外面には、ズーム保持環４０との摩擦力を高めズーム保持環４０との摺動を滑らかにするためにフエルトを貼り付ける。
【００１１】
上述した構成において、撮影者がズーム操作環３８を指で操作してズーム調整が終了してそのズーム状態を保持したい時、ズーム調整をしていた状態のままでその指の操作によってズーム操作環３８をマウント２２の側へ移動させる。ボール６４が後クリック溝６８の係合から前クリック溝６６の係合に変わり、保持部３２とズーム保持環４０とが摩擦接触する。保持部３２とズーム保持環４０とのこの摩擦接触の状態は、ボール６４が前クリック６６に係合したことによって保持され、ズーム操作環３８に例えば６ｋｇ・ｃｍ以上のトルクが加えられるまで保持される。
上述したズームの保持状態は、ズーム操作環３８に６ｋｇ・ｃｍ以上のトルクを加えることによって解除され、通常のズーム作動状態になる。
上記実施例の変形例としては、ボール５２を使用することなく、板ばね５０にボールに対応する山形部を形成してもよい。
【００１２】
【発明の効果】
本発明のズームレンズの自重作動防止機構によれば、簡易な構造で部品点数も少なく製造コストが低く、ズーム操作をしたその状態のまま自重作動防止のための操作や解除を行うことができて操作性がよく、さらに自重作動防止のための最適の保持力を確実に得ることができて操作性に優れている効果を得ることができる。
【図面の簡単な説明】
【図１】  本発明の実施例のズームレンズの自重作動防止機構の非作動状態の断面図である。
【図２】  図１の本発明の実施例のズームレンズの自重作動防止機構の作動状態の断面図である。
【図３】  本発明の実施例の自重作動防止機構を有するズームレンズの断面図である。
【図４】  本発明の実施例のズームレンズの自重作動防止機構の分解図である。
【図５】  従来のズームレンズの自重作動防止機構の非作動状態の断面図である。
【図６】  従来のズームレンズの自重作動防止機構の作動状態の断面図である。
【符号の説明】
１        ズームレンズ
２２      マウント
２６      固定筒
３０      ズーム操作部
３２      保持部
４０      ズーム保持環
６４      ボール
６６      前クリック溝
６８      後クリック溝
【図１】
0003943654.tif 000002
【図２】
0003943654.tif 000003
【図３】
0003943654.tif 000004
【図４】
0003943654.tif 000005
【図５】
0003943654.tif 000006
【図６】
0003943654.tif 000007